(57)【特許請求の範囲】
【請求項１】
送信側の局と受信側の局とが複数のチャネルを用いて通信する通信システムであって、
前記送信側の局は、
最後に送信を開始した信号の未送信部分の伝送完了時間を算出する手段と、
前記最後に送信を開始した信号の次に送信する送信信号の伝送時間を算出する手段と、
前記伝送完了時間が前記伝送時間より小さいことを条件として前記送信信号の送信を開始する手段と、
を有し、
前記受信側の局は、前記複数のチャネルを用いて前記送信側の局から信号を受信する手段を有する
ことを特徴とする通信システム。
【請求項２】
前記複数のチャネルの伝送速度が異なる、
ことを特徴とする請求項１に記載の通信システム。
【請求項３】
前記チャネルがＴＤＭＡ無線チャネルであり、
前記送信側の局が移動局であり、
前記受信側の局が基地局である
ことを特徴とする請求項１または２に記載の通信システム。
【請求項４】
前記チャネルがＴＤＭＡ無線チャネルであり、
前記送信側の局が基地局であり、
前記受信側の局が移動局である
ことを特徴とする請求項１または２に記載の通信システム。
【請求項５】
複数のチャネルを用いて信号を送信する局であって、
最後に送信を開始した信号の未送信部分の伝送完了時間を算出する手段と、
前記最後に送信を開始した信号の次に送信する送信信号の伝送時間を算出する手段と、
前記伝送完了時間が前記伝送時間より小さいことを条件として前記送信信号の送信を開始する手段と
を備えたことを特徴とする局。
【請求項６】
前記複数のチャネルの伝送速度が異なる、
ことを特徴とする請求項５に記載の局。
【請求項７】
前記複数のチャネルがＴＤＭＡ無線チャネルであり、
前記局が基地局である
ことを特徴とする請求項５または６に記載の局。
【発明の詳細な説明】
【０００１】
【発明の属する技術分野】
本発明は、複数のチャネルによって通信を行うことのできる局を有する通信システムおよび局に関する。
【０００２】
【従来の技術】
従来、複数のチャネルを用いる通信システムがデータシーケンスを保証する為には、ＨＤＬＣマルチリンクデータリンクプロトコル等のデータリンクプロトコルが用いられている。ＨＤＬＣマルチリンクデータリンクプロトコルでは、各データフレームに付したフレーム番号に応じて受信側がフレームを並び替えることによりデータシーケンスを保証している。
【０００３】
【発明が解決しようとする課題】
しかしながら従来は、単一チャネルでのみデータシーケンスを保証するプロトコルを使用している場合には、複数のチャネルを用いて通信することが出来なかった。従って、複数チャネルを用いて通信するためには通信プロトコルを変更する必要があり、複数チャネルを用いる通信システムに容易に移行することが出来なかった。そこで本発明は、このような課題を解決することのできる通信システムおよび局を提供することを目的とする。
【０００４】
【課題を解決するための手段】
このような目的を達成するために、請求項１に記載の構成にあっては、送信側の局と受信側の局とが複数のチャネルを用いて通信する通信システムにおいて前記送信側の局が、最後に送信を開始した信号の未送信部分の伝送完了時間を算出する手段と、前記最後に送信を開始した信号の次に送信する送信信号の伝送時間を算出する手段と、前記伝送完了時間が前記伝送時間より小さいことを条件として前記送信信号の送信を開始する手段と、を有し、前記受信側の局が前記複数のチャネルを用いて前記送信側の局から信号を受信する手段を有することを特徴とする。
【０００５】
また、請求項５に記載の構成にあっては、複数のチャネルを用いて信号を送信する局において、最後に送信を開始した信号の未送信部分の伝送完了時間を算出する手段と、前記最後に送信を開始した信号の次に送信する送信信号の伝送時間を算出する手段と、前記伝送完了時間が前記伝送時間より小さいことを条件として前記送信信号の送信を開始する手段とを備えたことを特徴とする。
【０００６】
【発明の実施の形態】
以下、図面を参照して本発明の実施の形態の一例を説明する。
（実施形態１）
図１は、本実施形態に係る通信システムの構成を示すブロック図である。本通信システムは、局１０、２０、およびチャネル３１〜３４を有する。チャネル３１〜３４の伝送速度は異なっていても良い。チャネル３１〜３４はＴＤＭＡ無線チャネルであっても良い。移動体通信においては、局１０または２０の一方が移動局で他方が基地局に相当する。本実施形態では送信側の局１０が受信側の局に到達する信号の順序を保証する。
【０００７】
局１０は、チャネル３１〜３４を用いて信号を送信する送信装置１１、外部から入力される信号を処理する信号処理装置１２、および送信装置１１を管理する管理装置１３を有する。但し、信号処理装置１２は局１０内の上位の層から信号を入力しても良い。
【０００８】
管理装置１３は、チャネル３１〜３４および送信装置１１の空き状況、チャネル３１〜３４の伝送速度Ｓｉ、および最後に送信を開始した送信中の信号の未送信分の信号長Ｌｃを把握して記憶する。局２０は、チャネル３１〜３４から信号を受信する受信装置２１、および受信した信号を処理して外部へ出力する信号処理装置２２を有する。但し、信号処理装置２２は局１０内の上位の層へ信号を出力しても良い。
【０００９】
図２は、局１０の信号処理装置１２の動作を示すフローチャートである。信号処理装置１２は信号が入力されると（Ｓ１０）、信号長Ｌｎを検出し（Ｓ１２）、全ての空きチャネルの伝送速度Ｓｉを管理装置１３から得る（Ｓ１４）。空きチャネルが無ければ空きチャネルが得られるまで待つ（Ｓ１６）。
【００１０】
空きチャネルが有れば１つの空きチャネルとそれに繁がれた送信装置１１を選択する（Ｓ１８）。次に、選択したチャネルの伝送速度Ｓｂを用いて信号の伝送時間Ｔｎを次式
Ｔｎ＝Ｌｎ／Ｓｂ
により計算する（Ｓ２０）。
【００１１】
次に信号処理装置１２は、管理装置１３から最後に送信を開始した信号の未送信部分の長さＬｃと使用しているチャネルの伝送速度Ｓｃを得る（Ｓ２２）。送信中の信号が無ければ（Ｓ２４）、選択した空き送信装置１１に入力信号を渡す（Ｓ３０）。送信中の信号が有れば最後に送信を開始した送信中信号の未送信部分の伝送時間Ｔｃを次式
Ｔｃ＝Ｌｃ／Ｓｃ
により計算する（Ｓ２６）。
【００１２】
ＴｃがＴｎより小さければ（Ｓ２８）、選択した送信装置１１に入力信号を渡す（Ｓ３０）。ＴｃがＴｎ以上の時に入力信号の送信を始めると、入力信号の送信が、その前に送信された信号より先に完了してしまう。そこでＴｃがＴｎ以上の場合は（Ｓ２８）、Ｓ２２に戻りＴｃがＴｎがより小さくなるまで待つ。これにより、各信号の送信が完了する順序を保証することが出来る。
【００１３】
送信装置１１は、信号処理装置１２から渡された信号をチャネル３１〜３４に送信する。局２０の受信装置２１はチャネル３１〜３４から信号を受信する。受信側の信号処理装置２２は、複数の受信装置に２１が受信した１つ以上の信号を外部に出力する。
【００１４】
図３は、３つの信号４１、４２、４３が順次入力された場合のチャネル３１〜３４の状態を示す。信号４１が発生したときは全チャネルが空いているので送信が開始される。図３ではチャネル３１を使用して信号４１を送信しているがその他のチャネルを用いても良い。信号４２が発生した時は送信中の信号４１の伝送時間よりも信号４２の伝送時間が大きいので送信を開始する。
【００１５】
図３ではチャネル３２を使用して信号４２を送信しているが、その他の空きチャネルを用いても良い。最後に送信を開始した送信中の信号４２の未送信分の伝送時間は信号４３の伝送時間以上なので送信を待つ。信号４２の未送信分の送信時間が信号４３の伝送時間より小さくてから送信を開始する。
【００１６】
本実施例においては、各信号の伝送が信号の順序通りに完了する。従って、複数チャネル通信のデータシーケンスを保証する通信プロトコルを用いなくても、複数チャネルで伝送されるデータのシーケンスを保証することができる。特に本実施形態を移動体通信に適用した場合には、既存のプロトコルを変更することなく基地局と移動局とが複数チャネルを用いて通信することができる。
【００１７】
（実施形態２）
図４は、実施形態２における通信システムのブロック図を示す。図１と同一の構成には図１と同一の符号が付してあるのでこれらの説明は省略する。局２０は、図１に示した構成に加えて受信した信号を一時的に蓄積しておく受信バッファ６３を有する。本実施形態では、信号送信側の局１０は信号が発生した順に送信を開始する。信号受信側の局２０は、信号の受信を完了した順序ではなく信号の受信を開始した順序で受信信号を有効とすることにより信号の順序を保証する。
【００１８】
図５は、局１０の信号処理装置１２の動作を示すフローチャートである。信号処理装置１２は、外部からの信号の入力を待つ（Ｓ４０）。信号を入力すると管理装置１３から１つ以上の空き送信装置１１を得る（Ｓ４２）。得られた送信装置１１の中から１つの送信装置１１を選択し（Ｓ４４）、選択した空き送信装置１１へ信号を渡す（Ｓ４６）。
【００１９】
図６は、局２０の受信装置２１の動作を示すフローチャートである。受信装置２１は、まず受信開始順序番号Ｖを０に初期化し（Ｓ５０）、チャネル３１〜３４からの信号の受信を待つ（Ｓ５２）。信号を受信すると信号に受信開始順序番号Ｖを付与する（Ｓ５４）。また受信開始順序番号Ｖを１つ増やして（Ｓ５６）、信号と付与された受信開始順序番号Ｖを信号処理装置２２に渡す（Ｓ５８）。
【００２０】
図７は、受信側の信号処理装置２２の動作を示すフローチャートである。信号処理装置２２は、まず信号順序番号Ｒを０に初期化し（Ｓ６０）、受信装置２１が信号の受信を完了するのを待つ（Ｓ６２）。受信装置２１が信号の受信を完了すると受信装置２１から信号および受信開始順序番号Ｖを得て（Ｓ６４）、信号順序番号Ｒと比較する（Ｓ６６）。受信開始順序番号Ｖが信号順序番号Ｒと等しくなければ、受信装置２１から受け取った信号および受信開始順序番号Ｖを受信バッファ６３に格納し（Ｓ６８）、Ｓ６２に戻る。
【００２１】
Ｓ６６で受信開始順序番号Ｖが信号順序番号Ｒと等しければ、信号を外部に出力する（Ｓ７０）。また信号順序番号Ｒを１つ増やして（Ｓ７２）、受信バッファ６３から次の信号を得る（Ｓ７４）。受信バッファ６３から信号が得られなければＳ６２に戻る（Ｓ７６）。受信バッファ６３が信号を蓄積していれば、受信バッファ６３から受信開始順序番号Ｖが最も小さい信号が得られる。信号および受信開始順序番号Ｖが得られれば（Ｓ７６）、Ｓ６６に戻る。
【００２２】
図８は、３つの信号８１、８２、８３の受信をこの順に開始した場合のチャネル３１〜３４の状態を示す。信号８３の伝送時間が短いので、信号８３の受信は信号８１、８２の受信よりも先に完了する。しかし信号８３は信号８２が外部に出力されてから出力されるので、出力される信号のデータシーケンスが保証される。
【００２３】
（その他）
チャネル３１〜３４の伝送速度が等しい場合には伝送時間に換えて信号長を比較しても良い。以上発明の実施の形態を説明したが、本出願に係る発明の技術的範囲は上記の実施の形態に限定されるものではない。上記実施の形態に種々の変更を加えて、特許請求の範囲に記載の発明を実施することができる。そのような発明が本出願に係る発明の技術的範囲に属することは、特許請求の範囲の記載から明らかである。
【００２４】
【発明の効果】
以上の説明から明らかなように、本発明によれば、単一チャネルのデータシーケンスを保証するプロトコルを用いた場合であっても、複数チャネルを用いた通信のデータシーケンスを保証することができる。従って、ＨＤＬＣマルチリンクデータリンクプロトコル等を使用せずに複数チャネルを用いて通信することができる。
【図面の簡単な説明】
【図１】  実施形態１における通信システムの構成を示すブロック図である。
【図２】  実施形態１における通信システムの局１０の動作を示すフローチャートである。
【図３】  実施形態１における通信システムのチャネルの状態を示す説明図である。
【図４】  実施形態２における通信システムの構成を示すプロック図である。
【図５】  実施形態２における通信システムの局１０の動作を示すフローチャートである。
【図６】  実施形態２における通信システムの局２０の動作を示すフローチャートである。
【図７】  実施形態２における通信システムの局２０の動作を示すフローチャートである。
【図８】  実施形態２における通信システムのチャネルの状態を示す説明図である。
【符号の説明】
１０  局
１１  送信装置
１２  信号処理装置
１３  管理装置
２０  局
２１  受信装置
２２  信号処理装置
３１、３２、３３、３４  チャネル
４１、４２、４３        信号
６３                    受信バッファ
８１、８２、８３        信号
【図１】
0003662911.tif 000002
【図２】
0003662911.tif 000003
【図３】
0003662911.tif 000004
【図４】
0003662911.tif 000005
【図５】
0003662911.tif 000006
【図６】
0003662911.tif 000007
【図７】
0003662911.tif 000008
【図８】
0003662911.tif 000009